(57)【要約】【課題】マイクロニードルシートの表面積を大きくすることで溶解速度を上げ、マイクロニードルシートの貼り付け時間を短縮し、使用者のストレスを低減できるようにすることを目的とする。【解決手段】本発明のマイクロニードルシートは、シート状基材上に微小針が形成されたマイクロニードルシートであって、微小針および／またはシート状基材の表面には、同心円状の溝または畝が複数形成されているように構成した。【選択図】図８
2016195651.tif 000002
【特許請求の範囲】
【請求項１】
シート状基材上に微小針が形成されたマイクロニードルシートであって、
前記微小針の表面には、前記微小針の周方向に沿って伸びる同心円状の溝または畝が複数形成されていることを特徴とするマイクロニードルシート。
【請求項２】
シート状基材と微小針とを有するマイクロニードルシートであって、
前記シート状基材の表面には、前記微小針を中心とする同心円状の溝または畝が複数形成されていることを特徴とするマイクロニードルシート。
【請求項３】
シート状基材と微小針とを有するマイクロニードルシートであって、
前記微小針の表面には、前記微小針の周方向に沿って伸びる同心円状の溝または畝が複数形成され、
前記シート状基材の表面には、前記微小針を中心とする同心円状の溝または畝が複数形成されていることを特徴とするマイクロニードルシート。
【請求項４】
前記溝または畝の幅は５〜１０μｍであり、前記溝の深さまたは前記畝の高さは０．０１〜１μｍである請求項１〜３のいずれか一項に記載のマイクロニードルシート。
【請求項５】
前記溝または畝は隣接しているものである請求項１〜４のいずれか一項に記載のマイクロニードルシート。
【発明の詳細な説明】
【技術分野】
【０００１】
本発明は、皮膚内へ目的物質を投与するマイクロニードルシートに関し、特にマイクロニードルシートを構成する微小針および／またはシート状基材の表面に同心円状の溝または畝が形成されたマイクロニードルシートに関する。
【背景技術】
【０００２】
マイクロニードルシートは、シート状基材上に複数の微小針が配列されたものである。微小針は皮膚に刺しても痛みをほとんど感じない形状である。マイクロニードルシートを皮膚に貼ることで微小針が皮膚に刺さり、広範な薬剤などの投与が可能となる。
【０００３】
人体内で微小針が溶解する溶解性マイクロニードルシートは、投与する目的物質と、たとえば、デキストラン、ヒアルロン酸などの皮膚内の水分や皮膚から放散される水分によって溶解する水溶性の材料から構成される。このようなマイクロニードルシートを皮膚に刺すと、皮膚から吸収した水分によって目的物質を含む微小針が膨潤して溶解し、皮膚内へ目的物質が届けられる（たとえば、特許文献１参照）。
【先行技術文献】
【特許文献】
【０００４】
【特許文献１】特開２００９−１３８０１０号公報
【発明の概要】
【発明が解決しようとする課題】
【０００５】
しかし、特許文献１に開示されているマイクロニードルシートは、目的物質を含む微小針を皮膚に刺した時に、微小針の外面が皮膚内の組織と接触している面積に限りがあった。したがって、微小針が溶解して目的物質が皮膚内へ拡散されるまでには時間がかかるため、長時間マイクロニードルシートを皮膚に貼り付けておく必要があり、使用者にストレスを与えていた。
【０００６】
本発明は上記のような課題を解決するためになされたものであり、マイクロニードルシートの表面積を大きくすることで溶解速度を上げ、マイクロニードルシートの貼り付け時間を短縮し、使用者のストレスを低減できるようにすることを目的とする。
【課題を解決するための手段】
【０００７】
以下に、課題を解決するための手段として複数の態様を説明する。これらの態様は、必要に応じて任意に組み合わせることができる。
【０００８】
本発明のマイクロニードルシートは、シート状基材上に微小針が形成されたマイクロニードルシートであって、微小針の表面には、微小針の周方向に沿って伸びる同心円状の溝または畝が複数形成されていることを特徴とするものである。
【０００９】
本発明のマイクロニードルシートは、シート状基材と微小針とを有するマイクロニードルシートであって、シート状基材の表面には、微小針を中心とする同心円状の溝または畝が複数形成されていることを特徴とするものである。
【００１０】
本発明のマイクロニードルシートは、シート状基材と微小針とを有するマイクロニードルシートであって、微小針の表面には、微小針の周方向に沿って伸びる同心円状の溝または畝が複数形成され、シート状基材の表面には、微小針を中心とする同心円状の溝または畝が複数形成されていることを特徴とするものである。
【００１１】
好ましい態様においては、溝または畝の幅は５〜１０μｍであり、溝の深さまたは畝の高さは０．０１〜１μｍである。
【００１２】
好ましい態様においては、溝または畝は隣接しているものである。
【発明の効果】
【００１３】
本発明によれば、微小針および／またはシート状基材の表面積が増えるため、微小針および／またはシート状基材の溶解速度を上げることができる。すなわち、皮膚内へ目的物質を投与する速度を上げることができる。したがって、マイクロニードルシートの貼り付け時間を短縮し、使用者のストレスを低減することができる。
【図面の簡単な説明】
【００１４】
【図１】本発明の一実施形態に係るマイクロニードルシートを示す斜視図である。
【図２】微小針の表面に形成された溝または畝を示す斜視図である。
【図３】微小針およびシート状基材を拡大した模式的な側面図である。
【図４】本発明の他の実施形態に係るマイクロニードルシートを示す斜視図である。
【図５】シート状基材の表面に形成された溝または畝を示す斜視図である。
【図６】微小針の水平断面の形状と，シート状基材の溝または畝の形状を示す模式的な断面図である。
【図７】本発明のマイクロニードルシートの製造方法の例を示す模式的な断面図である。
【図８】本発明の他の実施形態に係るマイクロニードルシートを示す斜視図である。
【発明を実施するための形態】
【００１５】
本発明のマイクロニードルシートは、シート状基材上に微小針が形成されたマイクロニードルシートであって、微小針の表面には、微小針の周方向に沿って伸びる同心円状の溝または畝が複数形成されているものである。以下、本発明のマイクロニードルシートについて実施形態の一例を説明する。
【００１６】
＜第一実施形態＞
まず、本発明のマイクロニードルシートに係る第一実施形態について、図を用いて説明する。第一実施形態におけるマイクロニードルシート１０は、シート状基材１２と複数の微小針１１とから構成され、微小針１１の表面には微小針の周方向に沿って伸びる同心円状の溝または畝が複数形成されている（図１参照）。
【００１７】
微小針１１は、たとえば円錐形または角錐形であってよく、別の形状でもよい。大きさは、たとえば、高さが１０μｍから１ｍｍで、底面の最大幅が１０μｍから１ｍｍで、アスペクト比が０．５から４の範囲で設定する。
【００１８】
（微小針の原材料）
微小針１１の原材料は人体に無害な高分子物質であり、たとえば、人体に無害な樹脂、人体に無害な多糖類および人体に無害なタンパク質ならびにそれらに由来する生物活性物質を含む。
【００１９】
微小針１１の原材料としての人体に無害な高分子物質は、生体内溶解性および生体内分解性のうちの少なくとも一方の性質を有することが好ましい。ここで、生体内溶解性とは生体内で溶解する性質であり、生体内分解性とは生体内で分解する性質である。両性質のうちの少なくとも一方を有する高分子物質で微小針１１を形成することにより、皮膚内に侵入した微小針１１は、生体内で溶解および分解のうちの少なくとも一方の作用を受けて時間の経過とともに徐々に変化するため、固体のままで皮膚内に長期間残留することがない。
【００２０】
また微小針１１を形成する生体内溶解性および／または生体内分解性の高分子物質は水溶性であることが好ましい。水溶性高分子物質であれば皮膚内の水分で微小針１１が溶解するため、微小針１１を用いて目的物質を皮膚内にスムーズに導入しやすくなる。
【００２１】
水溶性かつ生体内溶解性および生体内分解性のうちの少なくとも一方の性質を有する人体に無害な多糖類およびそれに由来する人体に無害な化合物としては、たとえば、マルトース、デキストラン、水溶性キトサン、プルラン、コンドロイチン硫酸ナトリウム、ヒアルロン酸ナトリウムおよびグリコーゲンが挙げられる。水溶性かつ生体内溶解性および生体内分解性のうちの少なくとも一方の性質を有する人体に無害なタンパク質およびそれに由来する人体に無害な化合物としては、たとえば、血清アルブミンおよび血清α酸性糖タンパク質が挙げられる。水溶性かつ生体内溶解性および生体内分解性のうちの少なくとも一方の性質を有する人体に無害な樹脂およびそれに由来する人体に無害な化合物としてはたとえば、水溶性の人体に無害な生分解性ポリマーおよびそれに由来する化合物が挙げられる。水溶性の人体に無害な生分解性ポリマーおよびそれに由来する人体に無害な化合物としては、たとえば、カルボキシビニルポリマーおよび、水溶性で生体適合可能なポリマーであるポリエチレングリコール（ＰＥＧ）と乳酸・グリコール酸−共重合体（ＰＬＧＡ）、ポリカプロラクトン（ＰＣＬ）またはポリ乳酸（ＰＬＡ）とをブロック共重合させた水溶性と生分解性とを有するブロックポリマーが挙げられる。
【００２２】
また、非水溶性かつ生体内溶解性および生体内分解性のうちの少なくとも一方の性質を有する人体に無害な樹脂およびそれに由来する人体に無害な化合物としては、たとえば、ポリ乳酸、ポリグリコール酸およびポリジオキサノンが挙げられる。
【００２３】
なお、微小針は上記の少なくとも１つの原材料から形成するとよい。また、少なくとも２つの異なる原材料を層状に形成してもよく、少なくとも２つの異なる原材料を混合して形成してもよい。また、それぞれの微小針を互いに異なる１つの原材料を用いて形成し、シート状基材上の複数の微小針に用いられる原材料は少なくとも２つであってもよい。
【００２４】
上記の原材料は目的物質としても使用でき、微小針１１は目的物質のみから形成してもよい。たとえば、ヒアルロン酸ナトリウムのみから微小針１１を形成してもよい。
【００２５】
（微小針の溝または畝）
本発明のマイクロニードルシートは、シート状基材上に微小針が形成されたマイクロニードルシートであって、微小針の表面には、微小針の周方向に沿って伸びる同心円状の溝または畝が複数形成されているものである。溝または畝は、図２（ｂ）に示すように螺旋ではなく、図２（ａ）に示すように微小針の周方向に一周し、溝または畝どうしが平行になるように形成する。したがって、微小針の表面の溝または畝は、同心円状に形成する。なお、本発明の「同心円状」には「同心円」と「同心円に似た形状」を含む。したがって、図２（ｃ）に示すように、溝または畝は微小針の底面に対して特定の角度を持たせて形成してもよい。この場合、溝または畝の形状は楕円となる。
【００２６】
溝１１ａまたは畝１１ｂの幅ｗは１〜２０μｍとすることができ、好ましくは５〜１０μｍであり、溝１１ａの深さｄまたは畝１１ｂの高さｈは０．０１〜１μｍであることが好ましい（図３（ａ）および図３（ｄ）参照）。微小針が高さ２００μｍの円錐形であれば、溝または畝の幅ｗが１〜２０μｍの場合はおよそ１０〜２００個、５〜１０μｍの場合はおよそ２０〜４０個の溝または畝が形成される。溝または畝によって微小針の表面積が増え、皮膚に含まれる水分が多く吸収できるため、微小針の溶解速度が上がる。したがって、皮膚内へ目的物質を投与する速度を大きくすることができる。
【００２７】
溝を形成する場合は、図３（ｃ）のように溝と溝との間に平坦部１１ｄを有するように形成してもよいが、溝を隣接して形成することが好ましい（図３（ａ）参照）。このようにすると、微小針の外面が皮膚内の組織と接触する面積が減少するため、微小針を皮膚内に挿入する際、微小針の外面と皮膚内の組織との間で生じる摩擦力を低減することができる。したがって、使用者が感じる痛みを低減することができる。
【００２８】
溝または畝の幅ｗと、溝の深さｄまたは畝の高さｈは微小針どうしで揃っていることが好ましい。このようにすると、微小針の溶解速度が微小針によってばらつくことを抑えることができる。
【００２９】
（シート状基材）
シート状基材１２は微小針を保持するものであり、微小針を保持できるものであれば、形状および構造は特に限定されない。シート状基材１２の厚みはマイクロニードルシート１０の使用用途に応じて適宜決定すればよく、マイクロニードルシートとして機能できるような厚さに設定すればよい。
【００３０】
シート状基材１２の原材料は、微小針を保持でき、微小針が皮膚へ刺さることを可能にするものであれば特に限定されるものではなく、微小針１１に用いられる上述の原材料と同じであってもよく、異なる原材料であってもよい。
【００３１】
（マイクロニードルシートの製造方法）
次に、第一実施形態におけるマイクロニードルシートの製造方法について説明するが、本発明の主旨を逸脱しない範囲内において、これらの製造方法に限定されるものではない。
【００３２】
（製造方法の概要）
同心円状の溝が形成された微小針１１を有するマイクロニードルシート１０の場合、まず、微小針１１と同形状の凸部を有する原版をフライス加工などによって削り出し、次に原版の形状を反転した反転版を作製する。反転版に微小針の原料を流し込み、シート状基材と一体化し、乾燥させて反転版から剥離する。
同心円状の畝が形成された微小針を有するマイクロニードルシートの場合は、まず、フライス加工などによって微小針と同形状の凹部を有する原版を作製する。原版に微小針の原料を流し込み、シート状基材と一体化し、乾燥させて原版から剥離する。
【００３３】
（原版の作製）
微小針と同形状の凸部を有する原版および微小針と同形状の凹部を有する原版は、たとえばエンドミルで金属材料をフライス加工して作製する。加工にはＮＣ加工機などを使用するとよい。微小針１１部を加工する際は、エンドミル先端の曲率半径、エンドミルの送り量および切込み量を適切に設定することで、溝の幅ｗと深さｄまたは畝の幅ｗと高さｈを上述した範囲内に収めることができる。この時、微小針１１の外周面を１周加工した後に送り量の分だけエンドミルが移動し、異なる高さの外周面を加工することになるため、螺旋状ではなく、微小針の周方向に沿って伸びる同心円状の溝または畝を形成することができる。
【００３４】
微小針と同形状の凸部を有する原版の場合、シート状基材１２部に相当する部分には、エンドミルで微小針部を加工した際の切削痕が残っているため、シート状基材部に相当する部分に仕上げ加工を施すことで同心円状の溝が形成されていないシート状基材１２部を加工することができる。
【００３５】
（反転版の作製）
フライス加工などによって削り出した微小針と同形状の凸部を有する原版の形状を反転した反転版の作製方法は、原版の微小針部における溝が正確に再現されれば、特に限定されるものではない。たとえば、原版に電鋳加工を施して原版の形状を反転する方法、原版を樹脂などの基材に押し当てて形状を反転する方法、原版に反転版の原料を塗布して硬化させた後に剥離する方法などが挙げられる。
【００３６】
反転版の材質は、たとえばポリプロピレン、ポリエチレンなどの人体に影響を与えないプラスチックを主として用いることが好ましい。
【００３７】
（マイクロニードルシートの形成）
反転版または微小針と同形状の凹部を有する原版に微小針１１の原材料を流し込み、シート状基材１２と一体化させて乾燥し、反転版または微小針と同形状の凹部を有する原版から剥離することでマイクロニードルシート１０を完成することができる。
【００３８】
なお、反転版または微小針と同形状の凹部を有する原版を金属で作製した場合は、それを金型として用いて、射出成形法によって微小針１１とシート状基材１２を一体成形することもできる。たとえば、同心円状の溝が形成された微小針を有するマイクロニードルシートを作製する場合は、微小針と同形状の凹部を有する反転版を射出成形機の可動側に設置し、固定側にはシート状基材部に相当する箇所が平坦な金型を用意して設置し、射出成形によりマイクロニードルシートを成形することができる。また、同心円状の畝が形成された微小針を有するマイクロニードルシートを作製する場合は、微小針と同形状の凹部を有する原版を射出成形機の可動側に設置し、固定側には、シート状基材部に相当する箇所が平坦な金型を用意して設置し、射出成形によりマイクロニードルシートを成形することができる。
【００３９】
＜第二実施形態＞
次に、第二実施形態について説明する。本発明の第二実施形態に係るマイクロニードルシートは、シート状基材と微小針とを有するマイクロニードルシートであって、シート状基材の表面には、微小針を中心とする同心円状の溝または畝が複数形成されているものである。したがって、第二実施形態では、微小針１１ではなくシート状基材１２の表面に同心円状の溝または畝が形成されている点で第一実施形態とは異なる。
【００４０】
（シート状基材の溝または畝）
シート状基材１２の溝または畝は、シート状基材１２の表面全体に形成されることが好ましい（図４参照）。また、溝または畝は平坦部１１ｃを挟んで形成してもよいが、畝どうしが隣接するように形成することが好ましい（図３（ｂ）および図３（ｅ）参照）。このようにすると、シート状基材１２の表面積が増える。したがって、たとえばシート状基材を上述の微小針と同じ原材料で形成し、マイクロニードルシート１０を皮膚に貼り付けると、シート状基材が皮膚から放散される水分をより多く吸収して溶解することで、目的物質を皮膚内へ投与する速度を大きくすることができる。
【００４１】
シート状基材上に形成される溝または畝は、直線と曲線が組み合わせられた形状であってよい（図５参照）。また、溝または畝は微小針の水平断面の形状と同じ形状でもよく、異なる形状であってもよい。たとえば、微小針の水平断面が円形で、溝または畝が三角形に形成されてもよい（図６参照）。
【００４２】
（製造方法の概要）
同心円状の溝が形成されたシート状基材１２を有するマイクロニードルシート１０を製造する場合は、まず、微小針１１と同形状の凸部とその周囲に同心円状の溝を有する原版をフライス加工などによって削り出し、次に原版の形状を反転した反転版を作製する。反転版に微小針およびシート状基材の原材料を流し込み、乾燥させて反転版から剥離する。
【００４３】
同心円状の畝が形成されたシート状基材１２を有するマイクロニードルシート１０を製造する場合は、まず、微小針１１と同形状の凹部とその周囲に同心円状の溝を有する原版をフライス加工などによって作製する。次に、原版に微小針およびシート状基材の原材料を流し込み、乾燥させて原版から剥離する。
【００４４】
（原版の作製）
微小針と同形状の凸部とその周囲に同心円状の溝を有する原版、および微小針と同形状の凹部とその周囲に同心円状の溝を有する原版は、第一実施形態と同様、たとえばＮＣ加工機などを使用して、エンドミルで金属材料をフライス加工して作成する。
【００４５】
シート状基材１２部に相当する部分の加工を行う際は、エンドミル先端の曲率半径、エンドミルの送り量および切込みを適切に設定することで溝または畝の幅ｗを１〜２０μｍ、好ましくは５〜１０μｍにし、溝の深さｄまたは畝の高さｈを０．０１〜１μｍにすることができる（図３（ｂ）および図３（ｅ）参照）。微小針１１部には、エンドミルで加工した際の切削痕が残っているため、微小針部分に仕上げ加工を施すことで、同心円状の溝または畝が形成されていない微小針１１部を加工することができる。
【００４６】
なお、微小針１１部を形成せずに、シート状基材１２部のみの原版を、たとえばエンドミルで加工して作製してもよい。反転版は、第一実施形態と同様の方法で作製することができる。
【００４７】
（マイクロニードルシートの作製）
微小針と同形状の凸部とその周囲に同心円状の溝を有する原版の形状を反転した反転版、または微小針と同形状の凹部とその周囲に同心円状の溝を有する原版を作製した場合は、第一実施形態と同様の方法でマイクロニードルシートを作製することができる。シート状基材１２部のみの反転版または原版を作製した場合は、反転版または原版にシート状基材１２の原材料を流し込んだ後に乾燥させ、剥離することで溝が形成されたシート状基材１２が完成する。次いで、シート状基材１２の上に微小針の原材料１１０を滴下し、プレート２０などを用いて原材料を徐々に引き上げることで、溝または畝のない微小針１１が形成される（図７参照）。
【００４８】
反転版または原版を金属で作製した場合は、それを金型として用いて射出成形法によってマイクロニードルシートを成形することができる。たとえば、微小針と同形状の凹部とその周囲に同心円状の溝を有する原版を射出成形機の可動側に設置し、固定側にはシート状基材部に相当する箇所が平坦な金型を用意して設置し、射出成形により同心円状の溝または畝がシート状基材にマイクロニードルシートを成形することができる。
【００４９】
また、シート状基材のみの反転版または原版を作製した場合は、反転版または原版を射出成形機の固定側に設置し、可動側には微小針部と同形状の凹部を有する金型を用意して設置し、射出成形により同心円状の溝または畝がシート状基材に形成されたマイクロニードルシートを成形することができる。
【００５０】
＜第三実施形態＞
次に、第三実施形態について説明する。本発明の第三実施形態に係るマイクロニードルシートは、シート状基材と微小針とを有するマイクロニードルシートであって、微小針の表面には、微小針の周方向に沿って伸びる同心円状の溝または畝が複数形成され、シート状基材の表面には、微小針を中心とする同心円状の溝または畝が複数形成されているものである。したがって第三実施形態は、第一実施形態と第二実施形態とを組み合わせた実施形態となる（図８参照）。製造方法についても、第一実施形態と第二実施形態とを組み合わせた方法となる。
【００５１】
微小針に溝を形成する場合は、溝を隣接して形成することが好ましい（図３（ａ）参照）。このようにすると、微小針の外面が皮膚内の組織と接触する面積が減少するため、微小針を皮膚内に挿入する際、微小針と皮膚内の組織との間で生じる摩擦力を低減することができる。したがって、使用者の痛みを低減することができる。また、溝または畝の幅ｗと、溝の深さｄまたは畝の高さｈは微小針どうしで揃っていることが好ましい。このようにすると、微小針の溶解速度が微小針によってばらつくことを抑えることができる。
【００５２】
シート状基材１２の溝または畝は、シート状基材１２の表面全体に形成されることが好ましい（図８参照）。このようにすると、シート状基材１２の表面積が増え、たとえばシート状基材を微小針と同じ原材料で形成した場合は、シート状基材が皮膚から放散される水分をより多く吸収して溶解することで、シート状基材に含まれる目的物質を皮膚内へ投与する速度を大きくすることができる。なお、畝は平坦部１１ｃを挟んで形成してもよいが、畝どうしが隣接するように形成することが好ましい（図３（ｄ）および図３（ｅ）参照）。平坦部を挟んで形成した場合には、マイクロニードルシートを皮膚に貼った際、畝が皮膚に間欠的に接触し、線のように接触させることになるため使用者に不快感を与えてしまう。それに対し、畝を隣接するように形成した場合は、畝が皮膚に連続的に接触することができ、面のように接触させることができる。したがって、マイクロニードルシートを皮膚に貼った際の使用者の不快感を低減することができる。
【００５３】
第三実施形態では、上記のように微小針１１およびシート状基材１２のそれぞれの表面積が増える。したがって、マイクロニードルシート１０が第一実施形態および第二実施形態のときよりも多くの水分を吸収でき、微小針１１およびシート状基材１２に含まれる目的物質を皮膚内へ投与する速度を大きくすることができる。
【符号の説明】
【００５４】
１０  ：マイクロニードルシート
１１  ：微小針
１１０：微小針の原材料
１１ａ：溝
１１ｂ：畝
１１ｃ：平坦部
１２  ：シート状基材
２０  ：プレート
【図１】
2016195651.tif 000003
【図２】
2016195651.tif 000004
【図３】
2016195651.tif 000005
【図４】
2016195651.tif 000006
【図５】
2016195651.tif 000007
【図６】
2016195651.tif 000008
【図７】
2016195651.tif 000009
【図８】
2016195651.tif 000010